(57)【要約】      （修正有）【課題】使用者の好みに合わせた装飾に簡単に変更することができ、かつ、異なるスタイルのヘアブラシを低コストで生産できる、後蓋が交換可能なヘアブラシを提供する。【解決手段】後蓋が交換可能なヘアブラシであって、ベース組立体１０と、磁石部材４０と、ブラシ組立体と、後蓋組立体３０と、磁性部材５０とを備え、ベース組立体が、相対する第１側面及び第２側面を有し、磁石部材がベース組立体の第２側面に設置され、ブラシ組立体がベース組立体の第１側面に設置され、後蓋組立体は、第２側面上に着脱可能に設置されると共に、相対する第３側面及び第４側面を有し、第３側面が第２側面に面し、第４側面上に装飾模様の紋様あるいは絵柄を有し、磁性部材が、後蓋組立体上に配置されると共に、磁気によって磁石部材に吸引される。【選択図】図４
0003230790.tif 000002
【実用新案登録請求の範囲】
【請求項１】
後蓋が交換可能なヘアブラシであって、ベース組立体と、磁石部材と、ブラシ組立体と、後蓋組立体と、磁性部材とを備え、
前記ベース組立体が、相対する第１側面及び第２側面を有し、
前記磁石部材が前記ベース組立体の第２側面に設置され、
前記ブラシ組立体が前記ベース組立体の第１側面に設置され、
前記後蓋組立体は、前記第２側面上に着脱可能に設置されると共に、相対する第３側面及び第４側面を有し、該第３側面が第２側面に面し、該第４側面上に装飾模様の紋様あるいは絵柄を有し、
前記磁性部材が、前記後蓋組立体上に配置されると共に、磁気によって前記磁石部材に吸引されることを特徴とする後蓋が交換可能なヘアブラシ。
【請求項２】
前記後蓋組立体は、ベースプレートと飾り層を含み、
該ベースプレートが前記第２側面上に着脱可能に設置され、前記第３側面が該ベースプレート上に形成され、
該飾り層が前記ベースプレート上に設置され、前記第４側面が該飾り層上に形成され、前記磁性部材が、該ベースプレートと飾り層との間に設置されることを特徴とする請求項１に記載の後蓋が交換可能なヘアブラシ。
【請求項３】
前記ベース組立体が、前記第１側面から前記第２側面まで延びる連通孔をさらに含むことを特徴とする請求項１または請求項２に記載の後蓋が交換可能なヘアブラシ。
【請求項４】
前記後蓋組立体の外周縁上に切込溝が形成され、該切込溝と前記ベース組立体との間に間隔を有することを特徴とする請求項１または請求項２に記載の後蓋が交換可能なヘアブラシ。
【請求項５】
後蓋が交換可能なヘアブラシであって、ベース組立体と、磁石部材と、ブラシ組立体と、後蓋組立体とを備え、
前記ベース組立体が、相対する第１側面及び第２側面を有し、
前記磁石部材が前記ベース組立体の第２側面に設置され、
前記ブラシ組立体が前記ベース組立体の第１側面に設置され、
前記後蓋組立体は、前記第２側面上に着脱可能に設置されると共に、磁性材料からなるので、磁気によって前記磁石部材に吸引され、また、相対する第３側面及び第４側面を有し、該第３側面が前記第２側面に面し、該第４側面上に装飾模様の紋様あるいは絵柄を有することを特徴とする後蓋が交換可能なヘアブラシ。
【考案の詳細な説明】
【技術分野】
【０００１】
本考案はヘアブラシに関し、特に後蓋が交換可能なヘアブラシに関するものである。
【背景技術】
【０００２】
人は、美しさを追求するのが常であり、自身の外見を気にしながら、様々な身の回り品の装飾品や付属品を異なる着こなしに合わせるための工夫を凝らしている。特に女性の着こなし方は多様多種であるため、相応しい装飾品や付属品を用意するのは大変なことである。例えば、女性の殆どは、携帯バッグ内にヘアブラシを入れて外出するが、市販されている、既存の装飾模様を有するヘアブラシは、異なる着こなしに合わせることができなく、また、複数本の異なる装飾模様のヘアブラシを用意するのも現実的ではない。
【０００３】
装飾模様を有する既存のヘアブラシの紋様あるいは絵柄は、ヘアブラシの本体上に形成されるものであり、簡単に変更することはできない。従って、ヘアブラシの生産業者にとって、様々な使用者のニーズに応え、異なる装飾模様を有するヘアブラシを提供しようとすれば、生産及び在庫管理に負担がかかる。
【０００４】
故に、上述した問題をいかに改善するかが、現在の業界においての課題である。
【考案の概要】
【考案が解決しようとする課題】
【０００５】
本考案は、前記の従来技術の欠点に鑑みてなされたものであり、使用者の好みに合わせた装飾に簡単に変更することができ、かつ生産業者にとって、異なるスタイルのヘアブラシを低コストで生産できる、後蓋が交換可能なヘアブラシを提供することを目的としている。
【課題を解決するための手段】
【０００６】
上記目的を達成するために、本考案は、後蓋が交換可能なヘアブラシであって、ベース組立体と、磁石部材と、ブラシ組立体と、後蓋組立体と、磁性部材とを備え、
前記ベース組立体が、相対する第１側面及び第２側面を有し、
前記磁石部材が前記ベース組立体の第２側面に設置され、
前記ブラシ組立体が前記ベース組立体の第１側面に設置され、
前記後蓋組立体は、前記第２側面上に着脱可能に設置されると共に、相対する第３側面及び第４側面を有し、該第３側面が第２側面に面し、該第４側面上に装飾模様の紋様あるいは絵柄を有し、
前記磁性部材が、前記後蓋組立体上に配置されると共に、磁気によって前記磁石部材に吸引されることを特徴とする。
【０００７】
上記目的を達成するために、本考案の他の実施例においては、後蓋が交換可能なヘアブラシであって、ベース組立体と、磁石部材と、ブラシ組立体と、後蓋組立体とを備え、
前記ベース組立体が、相対する第１側面及び第２側面を有し、
前記磁石部材が前記ベース組立体の第２側面に設置され、
前記ブラシ組立体が前記ベース組立体の第１側面に設置され、
前記後蓋組立体は、前記第２側面上に着脱可能に設置されると共に、磁性材料からなるので、磁気によって前記磁石部材に吸引され、また、相対する第３側面及び第４側面を有し、該第３側面が前記第２側面に面し、該第４側面上に装飾模様の紋様あるいは絵柄を有することを特徴とする。
【０００８】
前記後蓋組立体は、ベースプレートと飾り層を含み、
該ベースプレートが前記第２側面上に着脱可能に設置され、前記第３側面が該ベースプレート上に形成され、
該飾り層が前記ベースプレート上に設置され、前記第４側面が該飾り層上に形成され、前記磁性部材が、該ベースプレートと飾り層との間に設置されることを特徴とする。
【０００９】
前記後蓋が交換可能なヘアブラシが、前記ベース組立体の第２側面上に設置される磁石部材をさらに備え、また、前記後蓋組立体が磁性材料からなり、これにより、該後蓋組立体が、該磁石部材の磁気によって吸引されることを特徴とする。
【００１０】
前記ベース組立体が、前記第１側面から前記第２側面まで延びる連通孔をさらに含むことを特徴とする。
【００１１】
前記後蓋組立体の外周縁上に切込溝が形成され、該切込溝と前記ベース組立体との間に間隔を有することを特徴とする。
【考案の効果】
【００１２】
本考案は前記の欠点を鑑みてなされたものであり、ヘアブラシに、交換可能な後蓋を設けて、シングル仕様の櫛本体（すなわちベース組立体とブラシ組立体のこと）と、異なる装飾模様を有する後蓋を生産すれば、様々なスタイルの異なるヘアブラシを組み合わせることができ、その結果、生産コスト及び在庫管理コストの低減を図るだけでなく、様々な使用者のニーズに応えることができる。
【図面の簡単な説明】
【００１３】
【図１】本考案の第１実施例における、ブラシ組立体が突出する状態を示す斜視図である。
【図２】本考案の第１実施例における、ブラシ組立体が収納された状態を示す斜視図である。
【図３】本考案の第１実施例を別の角度から見た斜視図である。
【図４】本考案の第１実施例の分解図である。
【図５】本考案の第１実施例の断面模式図である。
【図６】本考案の第１実施例を別の角度から見た断面模式図である。
【図７】本考案の第２実施例の分解図である。
【図８】本考案の第３実施例の分解図である。
【図９】本考案の第４実施例における、ブラシ組立体が収納された状態を示す斜視図である。
【図１０】本考案の第４実施例の分解図である。
【図１１】本考案の第４実施例の断面模式図である。
【図１２】本考案の第５実施例の断面模式図である。
【考案を実施するための形態】
【００１４】
図１〜図４に示すように、本考案に係る後蓋が交換可能なヘアブラシによれば、使用者は、自分自身の好みにあった後蓋を、任意に交換することができるので、ヘアブラシを視覚的に異なる外観に調整することが可能となる。本考案の第１実施例においては、後蓋が交換可能なヘアブラシは、ベース組立体１０と、ブラシ組立体２０と、後蓋組立体３０とを備えるものであり、ハンドル部材を選択的に備えてもよい。また、前記ベース組立体１０は、相対する、第１側面１１と第２側面１２を有し、前記ブラシ組立体２０が、該ベース組立体１０の第１側面１１上に設置される。尚、本実施例においては、前記ブラシ組立体２０の損傷を避けるために、前記ベース組立体１０内に収納することが可能であるが、別の実施例においては、該ブラシ組立体２０が該ベース組立体１０に対して固定されるように設置され、特に該ベース組立体１０内に収納することができなくてもよい。また、前記後蓋組立体３０は、前記ベース組立体１０の第２側面１２に着脱可能に設置され、相対する、第３側面３０１と第４側面３０２を有し、該第３側面３０１は該第２側面１２に面し、該第４側面３０２上に装飾紋様や絵柄を有する。
【００１５】
図５に示すように、第１実施例における前記後蓋組立体３０は、磁気によって前記ベース組立体１０上に吸着される。具体的に述べると、本考案に係る後蓋が交換可能なヘアブラシは、磁石部材４０と、該磁石部材４０に吸引される磁性部材５０をさらに備え、該磁石部材４０は、磁石または磁気を有する材料からなり、これに対し、該磁性部材５０は、該磁石部材４０に吸引される金属材料からなるが、磁石からなるものであってもよい。尚、本実施例においては、前記磁石部材４０が、前記ベース組立体１０の第２側面１２上に設置され、これに対し、前記磁性部材５０は、前記後蓋組立体３０上に設置され、これにより、該後蓋組立体３０が、該ベース組立体１０上に着脱可能に取り付けられる構成となっている。
【００１６】
さらに、前記後蓋組立体３０は、ベースプレート３１と飾り層３２を含み、該ベースプレート３１は、前記第２側面１２上に着脱可能に密着するように設置され、前記第３側面３０１は、該ベースプレート３１上に形成され、該飾り層３２は、該ベースプレート３１に設置され、前記第４側面３０２は、該飾り層３２上に形成され、また、前記磁性部材５０は、該ベースプレート３１と飾り層３２との間に設置される。
【００１７】
本実施例においては、磁石部材４０が第２側面１２から突出しており、これに対して、ベースプレート３１上に収容部３０３が設けられ、その結果、後蓋組立体３０が、ベース組立体１０に装着されると、該磁石部材４０が該収容部３０３内に収容され、これにより、該後蓋組立体３０がより簡単に位置決めされる。
【００１８】
図２及び図６に示すように、ベース組立体１０は、第１側面１１と第２側面１２を連通する連通孔１３をさらに含み、これにより、使用者は、後蓋組立体３０を交換しようとする時に、手元の任意の細い棒状道具を使って、該連通孔１３に挿入すれば、当該道具が該第２側面１２を挿通するように該後蓋組立体３０に当たると、該後蓋組立体３０が、押圧力によって該ベース組立体１０から分離するので、簡単に交換することが可能となる。
【００１９】
図７に示すように、本考案の第２実施例は、第１実施例とほぼ同じであるが、相違点としては、前記後蓋が交換可能なヘアブラシの後蓋組立体３０Ａが前記磁性部材を備えていないことである。その代わりに、前記後蓋組立体３０Ａの材料を磁性材料とすることにより、該後蓋組立体３０Ａを前記磁石部材４０に吸引させている。
【００２０】
図８は、本考案の第３実施例を示すものであり、第２実施例とほぼ同じであるが、相違点としては、後蓋組立体３０Ｂが単一部品であることである。つまり、ベースプレートと飾り層は分離不能に一体形成される。
【００２１】
図９〜図１１は、本考案の第４実施例を示すものであり、第３実施例とほぼ同じであるが、相違点としては、前記後蓋が交換可能なヘアブラシが、ハンドル部材を備えていないことであり、もう一つの相違点は、ベース組立体１０Ｃは、第１側面１１Ｃと第２側面１２Ｃとを連通させる二つの連通孔１３Ｃを含むことである。尚、本実施例においては、前記二つの連通孔１３Ｃがいずれも、前記第１側面１１Ｃと第２側面１２Ｃの外周縁に接近する箇所に配置されていることから、てこの原理で、後蓋組立体３０Ｃを分離させる際の押圧力を軽減させることができるので、該後蓋組立体３０Ｃをより簡単に交換することが可能にする。
【００２２】
図１２は、本考案の第５実施例を示すものであり、第４実施例とほぼ同じであるが、相違点としては、ベース組立体１０Ｄが連通孔を備えていないことである。その代わりに、後蓋組立体３０Ｄの外周縁上における前記ベース組立体１０Ｄとの間に間隔をおいて切込溝３３Ｄが設けられ、これにより、使用者は、該後蓋組立体３０Ｄを交換する際に、爪や手元の任意の薄い道具を使って、該切込溝３３Ｄを介して該後蓋組立体３０Ｄとベース組立体１０Ｄとの間に挿入すれば、該後蓋組立体３０Ｄを該ベース組立体１０Ｄから簡単に分離させることができる。
【００２３】
上述したように、本考案に係る後蓋が交換可能なヘアブラシは、交換可能な後蓋を設けて、シングル仕様の櫛本体（すなわちベース組立体とブラシ組立体のこと）と、異なる装飾模様を有する後蓋を生産すれば、様々なスタイルの異なるヘアブラシを組み合わせることができ、その結果、生産コスト及び在庫管理コストの低減を図るだけでなく、様々な使用者のニーズに応えることができ、また、後蓋の交換も容易に行うことができるので、使用者は、異なるスタイルに応じて用意した、様々な装飾模様を有する後蓋に、いつでもどこでも手軽に交換することができる。
【符号の説明】
【００２４】
１０、１０Ｃ、１０Ｄ                    ベース組立体
１１、１１Ｃ                            第１側面
１２、１２Ｃ                            第２側面
１３、１３Ｃ                            連通孔
２０                                    ブラシ組立体
３０、３０Ａ、３０Ｂ、３０Ｃ、３０Ｄ    後蓋組立体
３１                                    ベースプレート
３２                                    飾り層
３３Ｄ                                  切込溝
３０１                                  第３側面
３０２                                  第４側面
３０３                                  収容部
４０                                    磁石部材
５０                                    磁性部材
【図１】
0003230790.tif 000003
【図２】
0003230790.tif 000004
【図３】
0003230790.tif 000005
【図４】
0003230790.tif 000006
【図５】
0003230790.tif 000007
【図６】
0003230790.tif 000008
【図７】
0003230790.tif 000009
【図８】
0003230790.tif 000010
【図９】
0003230790.tif 000011
【図１０】
0003230790.tif 000012
【図１１】
0003230790.tif 000013
【図１２】
0003230790.tif 000014